(57)【要約】  拡張締着式シェルフ用のセルフロック式ジョイントは、Ｕ字型スロットとしての支持板とＵ字型スロットに挿入される可塑性支持ブロックとを含む。スロット内には、支持ブロックの脱落を防止するよう、スロットの２つの側面に凹凸セルフロック装置がある。可塑性支持ブロックを受容するＵ字型スロットは、構造に適用される。シェルフは、支持ブロックの弾性によりフレームの柱に弾性に固定される。本発明では、特殊な工具なしにシェルフを組み立てること又は分解することが便利である。構造は、固くセルフロックされえ、容易には緩まない。【選択図】図１
2010510442.tif 000002
【特許請求の範囲】
【請求項１】
Ｕ字型スロットを形成する支持板（１）と、
前記Ｕ字型スロットに挿入され、シェルフの柱（４）の形状に合う凹面（２１）を有する可塑性支持ブロック（２）と、
前記支持ブロックの脱落を防止するよう前記Ｕ字型スロットの２つの側面に設けられ、前記Ｕ字型スロットの底部から距離を置いた凹凸セルフロック装置（３）とを含む、
拡張締着式シェルフ用のセルフロック式ジョイントであって、
前記凹凸セルフロック装置（３）は、前記Ｕ字型スロットの２つの側面から夫々突出し、前記Ｕ字型スロットの底部に向かって傾斜する弾性ロック部材（３１）を含み、前記各弾性ロック部材は、前記Ｕ字型スロットの底部から距離を置いた自由端（３２）を有し、前記弾性ロック部材（３１）の位置に対応する凹部（２２）は前記可塑性支持ブロック（２）の２つの側面に夫々設けられ、前記凹部（２２）は弾性ロック部材（３１）に完全に収容されるように適合された寸法を有し、前記弾性ロック部材（３１）の前記自由端（３２）は、前記可塑性支持ブロック（２）が前記Ｕ字型スロットに挿入されたときに前記可塑性支持ブロックを係止するよう、前記凹部（２２）の底部（２２１）にもたれかかる、セルフロック式ジョイント。
【請求項２】
前記可塑性支持ブロック（２）の前記凹部（２２）は、底部が前記弾性ロック部材（３１）の前記自由端（３２）に対応する位置で終端するＬ字型の凹部である、請求項１記載のセルフロック式ジョイント。
【請求項３】
前記可塑性支持ブロック（２）の前記凹部（２２）は、底部が前記弾性ロック部材（３１）の前記自由端（３２）に対応する位置で終端する鋭角型の凹部である、請求項１記載のセルフロック式ジョイント。
【請求項４】
Ｕ字型スロットを形成する支持板（１）と、
前記Ｕ字型スロットに挿入され、シェルフの柱（４）の形状に合う凹面（２１）を有する可塑性支持ブロック（２）と、
前記支持ブロックの脱落を防止するよう前記Ｕ字型スロットの２つの側面に設けられ、前記Ｕ字型スロットの底部から距離を置いた凹凸セルフロック装置（３）とを含む、
拡張締着式シェルフ用のセルフロック式ジョイントであって、
前記凹凸セルフロック装置（３）は、前記Ｕ字型スロットの２つの側面に夫々設けられた貫通孔（３３）を有し、前記各貫通孔は、前記Ｕ字型スロットの底部から距離を置き、前記貫通孔（３３）の位置に対応する楔形突起（２４）は前記可塑性支持ブロック（２）の２つの側面に夫々設けられ、前記楔形突起（２４）は前記Ｕ字型スロットの中へ前記突起を押す方向の延長面（２４）であり、前記貫通孔（３３）の中に完全に収容されるよう適合された寸法を有し、前記楔形突起（２４）は、前記可塑性支持ブロック（２）が前記Ｕ字型スロットに挿入されたときに前記可塑性支持ブロック（２）を係止するよう、前記貫通孔（３３）の中に留められる、セルフロック式ジョイント。
【請求項５】
Ｕ字型スロットを形成する支持板（１）と、
前記Ｕ字型スロットに挿入され、シェルフの柱（４）の形状に合う凹面（２１）を有する可塑性支持ブロック（２）と、
前記支持ブロックの脱落を防止するよう前記Ｕ字型スロットの２つの側面に設けられ、前記Ｕ字型スロットの底部から距離を置いた凹凸セルフロック装置（３）とを含む、
拡張締着式シェルフ用のセルフロック式ジョイントであって、
前記凹凸セルフロック装置（３）は、前記Ｕ字型スロットの２つの側面に夫々設けられた凹部（３４）を有し、前記各凹部は、前記Ｕ字型スロットの底部から距離を置き、前記凹部（３４）の位置に対応する楔形突起（２４）は前記可塑性支持ブロック（２）の２つの側面に夫々設けられ、前記楔形突起（２４）は、前記Ｕ字型スロットの中へ前記突起を押す方向の延長面（２４）であり、前記凹部（３４）の中に完全に収容されるよう適合された寸法を有し、前記楔形突起（２４）は、前記可塑性支持ブロック（２）が前記Ｕ字型スロットに挿入されたときに前記可塑性支持ブロックを係止するよう、前記凹部（３４）の中に留められる、セルフロック式ジョイント。
【請求項６】
前記楔形突起（２４）は、球状の頂部を有する形である、請求項４又は５のいずれかに記載のセルフロック式ジョイント。
【請求項７】
前記楔形突起（２４）は、逆三角形である、請求項４又は５のいずれかに記載のセルフロック式ジョイント。
【請求項８】
セルフロック突起（２３）は、前記可塑性支持ブロック（２）の前記凹面（２１）に設けられる、請求項１乃至５のうちいずれか一項記載のセルフロック式ジョイント。
【請求項９】
前記可塑性支持ブロック（２）を保持する縁部（１１）は、前記Ｕ字型スロットの２つの端に夫々設けられる、請求項１乃至５のうちいずれか一項記載のセルフロック式ジョイント。
【請求項１０】
前記可塑性支持ブロック（２）を保持する縁部（１１）は、前記Ｕ字型スロットの２つの端に夫々設けられる、請求項８記載のセルフロック式ジョイント。
【発明の詳細な説明】
【技術分野】
【０００１】
本発明は、拡張締着式シェルフ用のセルフロック式ジョイントに係り、特に着脱可能であり物品を担持するのに適した拡張締着式シェルフ用のセルフロック式ジョイントに関する。
【背景技術】
【０００２】
通常は、着脱可能であり物品を担持するのに適した拡張締着式シェルフは、主に、側柱と、側柱間に取り付けられたシェルフ層とを含む。側柱とシェルフ層との間の接続手段は、概してスリーブジョイントとラップジョイントとを含み、組み立てに問題が生じた場合は、特殊な工具と取り付け技術を要する。拡張締着式シェルフでは、シェルフ層は金属の半円状の管のＹ字型ジョイントを用いて側柱に接合され、組立中、シェルフ層は側柱に圧入されられるため外観が損なわれることがある。更に、この構造の締着は、摩擦及び支持力にのみ依存するため、２つの側柱間の誤差距離が比較的大きくなってしまうと、拡張によってはシェルフを締め付けることができずシェルフ層が緩くなることがあり、アフターサービスについて多くの問題が生じ、売上に影響を与える。従って、特殊な工具を使用することなく、また外観が損なわれることなく、組立て及び分解されえ、シェルフ層が容易に緩まないことを可能とするようセルフロック式である、拡張締着式ジョイントが望まれる。
【発明の概要】
【発明が解決しようとする課題】
【０００３】
従来技術の状況とそれに関する不利点の概要について述べたが、本発明は、特殊な工具を使用すること及び外観が損なわれることなく、組立て及び分解されえ、シェルフ層が容易に緩まないことを可能とするようセルフロック式である、拡張締着式ジョイントを提供することを目的とする。
【課題を解決するための手段】
【０００４】
上述の本発明の目的は、以下の技術的解決手段によって達成される。
【０００５】
拡張締着式シェルフ用のセルフロック式ジョイントは、Ｕ字型スロットを形成する支持板と、Ｕ字型スロットに挿入され、シェルフの柱の形状に合う凹面を有する可塑性支持ブロックと、支持ブロックの脱落を防止するようＵ字型スロットの２つの側面に設けられ、Ｕ字型スロットの底部から距離を置いた凹凸セルフロック装置とを含む。シェルフの柱は、可塑性支持ブロックの凹面が四角い断面であるか円筒であるかに応じて、四角い断面の又は円筒状の柱でありうる。
【０００６】
本発明の凹凸セルフロック装置の改良として、凹凸セルフロック装置は、Ｕ字型スロットの２つの側面から夫々突出し、Ｕ字型スロットの底部に向かって傾斜する弾性ロック部材を含み、各弾性ロック部材は、Ｕ字型スロットの底部から距離を置いた自由端を有し、弾性ロック部材の位置に対応する凹部は可塑性支持ブロックの２つの側面に夫々設けられ、凹部は弾性ロック部材に完全に収容されるように適合された寸法を有し、弾性ロック部材の自由端は、可塑性支持ブロックがＵ字型スロットに挿入されたときに可塑性支持ブロックを係止するよう、凹部の底部にもたれかかる。
【０００７】
望ましくは、可塑性支持ブロックの凹部は、底部が弾性ロック部材の自由端に対応する位置で終端するＬ字型の凹部である。
【０００８】
或いは、可塑性支持ブロックの凹部は、底部が弾性ロック部材の自由端に対応する位置で終端する「鋭角」型の凹部である。
【０００９】
本発明の凹凸セルフロック装置の他の改良として、凹凸セルフロック装置は、Ｕ字型スロットの２つの側面に夫々設けられた貫通孔を有し、各貫通孔は、Ｕ字型スロットの底部から距離を置き、貫通孔の位置に対応する楔形突起が可塑性支持ブロックの２つの側面に夫々設けられ、楔形突起はＵ字型スロットの中へ突起を押す方向の延長面であり、貫通孔の中に完全に収容されるよう適合された寸法を有し、楔形突起は、可塑性支持ブロックがＵ字型スロットに挿入されたときに可塑性支持ブロックを係止するよう、貫通孔の中に留められる。
【００１０】
本発明の凹凸セルフロック装置の他の改良として、凹凸セルフロック装置は、Ｕ字型スロットの２つの側面に夫々設けられた凹部を有し、各凹部は、Ｕ字型スロットの底部から距離を置き、凹部の位置に対応する楔形突起は、可塑性支持ブロックの２つの側面に夫々設けられ、楔形突起は、Ｕ字型スロットの中へ突起を押す方向の延長面であり、凹部の中に完全に収容されるよう適合された寸法を有し、楔形突起は、可塑性支持ブロックがＵ字型スロットに挿入されたときに可塑性支持ブロックを係止するよう、凹部の中に留められる。
【００１１】
望ましくは、楔形突起は、球状の頂部を有する形である。
【００１２】
望ましくは、楔形突起は、逆三角形である。
【００１３】
上述の技術的解法の全てにおいて、セルフロック突起は、可塑性支持ブロックの凹面に設けられうる。セルフロック突起は、球状の頂部を有する形であっても突出した部材であってもよく、それに応じて、突起を受容する凹部は、シェルフの安定性を確保すべく可塑性支持ブロックを更に締め付けるよう、側柱に設けられる。
【００１４】
上述の全ての技術的解決法において、可塑性支持ブロックを保持する縁部は、Ｕ字型スロットの２つの端に夫々設けられうる。縁部は、凹凸セルフロック装置が過荷重となること、それにより損傷を受けることを防止しうる。
【発明の効果】
【００１５】
上述の技術的解決手段により、本発明は以下の利点を有する。  
可塑性支持ブロックを含むＵ字型スロットが用いられるため、支持板の背面はシェルフ層の各４隅に溶接されえ、シェルフ層は弾性を有する可塑性支持ブロックの拡張によって締着されうるため、寸法誤差をなくすことができる。可塑性支持ブロックを安定させるため、可塑性支持ブロックはＵ字型スロットに収容され、凹凸セルフロック装置により脱落が防止され、Ｕ字型スロットの２つの端に設けられ可塑性支持ブロックを保持する縁部は、凹凸セルフロック式装置が過荷重となること及びそれにより損傷を受けることを防止することができる。更に、可塑性支持ブロックと側柱との間に、その上下の動きを防止するようセルフロック突起が設けられてもよく、組み立ての際、シェルフ層は側柱に圧入され、セルフロック突起はロックを実現するよう側柱の凹部に挿入され、これは操作が容易であり、２つの柱の間の距離誤差が比較的大きい場合であっても、シェルフ層は容易には緩まない。可塑性支持ブロックは交換可能であり、側柱が削られるのを防止することができる。このように、本発明は、特殊な工具を使用することなく、また外観が損なわれることなく、容易に組立て及び分解されえ、シェルフ層が容易に緩まないことを可能としうる。
【図面の簡単な説明】
【００１６】
【図１】弾性ロック部材及びＬ字型凹部を有する凹凸セルフロック装置のセルフロック式ジョイントを示す概略断面図である。
【図２】図１に示すセルフロック式ジョイントの概略組立図である。
【図３】弾性ロック部材及びＬ字型凹部を有する凹凸セルフロック装置のセルフロック式ジョイントを示す他の概略図である。
【図４】図３に示すセルフロック式ジョイントの概略組立図である。
【図５】弾性ロック部材及びＬ字型凹部を有する凹凸セルフロック装置のセルフロック式ジョイントを示す他の概略図である。
【図６】図５に示すセルフロック式ジョイントの概略組立図である。
【図７】弾性ロック部材及び「鋭角」型凹部を有する凹凸セルフロック装置のセルフロック式ジョイントを示す概略図である。
【図８】図７に示すセルフロック式ジョイントの概略組立図である。
【図９】楔形突起及び貫通孔を有する凹凸セルフロック装置のセルフロック式ジョイントを示す概略図である。
【図１０】図９に示すセルフロック式ジョイントの概略組立図である。
【図１１】楔形突起及び貫通孔を有する凹凸セルフロック装置のセルフロック式ジョイントを示す他の概略図である。
【図１２】図１１に示すセルフロック式ジョイントの概略組立図である。
【図１３】楔形突起及び凹部を有する凹凸セルフロック装置のセルフロック式ジョイントを示す概略図である。
【図１４】図１３に示すセルフロック式ジョイントの概略組立図である。
【図１５】楔形突起及び凹部を有する凹凸セルフロック装置のセルフロック式ジョイントを示す他の概略図である。
【図１６】図１５に示すセルフロック式ジョイントの概略組立図である。
【図１７】可塑性支持ブロックの凹面上のセルフロック突起を示す概略図である。
【図１８】可塑性支持ブロックの凹面上のセルフロック突起を示す他の概略図である。
【図１９】拡張締着式シェルフをセルフロック式ジョイントとともに示す斜視図である。
【図２０】図１９に示す拡張締着式シェルフを示す分解組立図である。
【発明を実施するための形態】
【００１７】
以下、本発明について、添付の図面を参照しつつ、実施例を用いて説明する。
【００１８】
図１乃至図２０を参照するに、拡張締着式シェルフ用のセルフロック式ジョイントは、Ｕ字型スロットを形成する支持板１と、Ｕ字型スロットに挿入され、シェルフの柱４の形状に合う凹面２１を有する可塑性支持ブロック２と、支持ブロックの脱落を防止するようＵ字型スロットの２つの側面に設けられた凹凸セルフロック装置３とを含み、凹凸セルフロック装置はＵ字型スロットの底部から距離を置いている。シェルフの柱は、可塑性支持ブロックの凹面が四角い断面であるか円筒状であるかに応じて、四角い断面の又は円筒状の柱でありうる。
【００１９】
図１乃至図８に示すように、凹凸セルフロック装置の改良として、凹凸セルフロック装置３は、Ｕ字型スロットの２つの側面から夫々突出し、Ｕ字型スロットの底部に向かって傾斜する弾性ロック部材３１を含み、各弾性ロック部材は、Ｕ字型スロットの底部から距離を置いた自由端３２を有し、距離は可塑性支持ブロック２を固定するのに十分であり、弾性ロック部材３１の位置に対応する凹部２２は、可塑性支持ブロック２の２つの側面に夫々設けられ、凹部２２は弾性ロック部材３１に完全に収容されるように適合された寸法を有し、弾性ロック部材３１の自由端３２は、可塑性支持ブロック２がＵ字型スロットに挿入されたときに可塑性支持ブロックを係止するよう、凹部２２の底部２２１にもたれかかる。
【００２０】
図１乃至図６を参照するに、可塑性支持ブロック２の凹部２２は、底部が弾性ロック部材３１の自由端３２に対応する位置で終端するＬ字型の凹部である。可塑性支持ブロック２がＵ字型スロットに挿入されると、弾性ロック部材３１の自由端３２は、可塑性支持ブロックを係止するよう凹部２２の底部２２１にもたれかかる。
【００２１】
図７及び図８を参照するに、可塑性支持ブロック２の凹部２２は、底部が弾性ロック部材３１の自由端３２に対応する位置で終端する「鋭角」型の凹部である。可塑性支持ブロック２がＵ字型スロットに挿入されると、弾性ロック部材３１の自由端３２は、可塑性支持ブロックを係止するよう「鋭角」型の凹部２２の底部２２１にもたれかかる。
【００２２】
凹凸セルフロック装置の他の改良として、図９乃至図１２に示すように、凹凸セルフロック装置３は、Ｕ字型スロットの２つの側面に夫々設けられた貫通孔３３を有し、各貫通孔は、Ｕ字型スロットの底部から距離を置き、貫通孔３３の位置に対応する楔形突起２４が可塑性支持ブロック２の２つの側面に夫々設けられ、楔形突起２４はＵ字型スロットの中へ突起を押す方向の延長面２４であり、貫通孔３３の中に完全に収容されるよう適合された寸法を有し、楔形突起２４は、可塑性支持ブロック２がＵ字型スロットに挿入されたときに可塑性支持ブロックを係止するよう、貫通孔３３の中に留められる。貫通孔３３は、四角形又は球状の頂部を有する形でありうる。
【００２３】
凹凸セルフロック装置の他の改良として、図１３乃至図１６に示すように、凹凸セルフロック装置３は、Ｕ字型スロットの２つの側面に夫々設けられた凹部３４を有し、各凹部は、Ｕ字型スロットの底部から距離を置き、凹部３４の位置に対応する楔形突起２４は、可塑性支持ブロック２の２つの側面に夫々設けられ、楔形突起２４は、Ｕ字型スロットの中へ突起を押す方向の延長面２４であり、貫通孔３３の中に完全に収容されるよう適合された寸法を有し、楔形突起２４は、可塑性支持ブロック２がＵ字型スロットに挿入されたときに可塑性支持ブロックを係止するよう、凹部３４の中に留められる。凹部３４は、四角形又は球状の頂部を有する形でありうる。
【００２４】
図１５及び図１６を参照するに、楔形突起２４は、球状の頂部を有する形であり、それに対応して、貫通孔３３又は凹部３４は球状の頂部を有する形でありうる。可塑性支持ブロック２がＵ字型スロットに挿入されるとき、球状の頂部を有する形の突起２４は、可塑性支持ブロックを係止するよう、貫通孔３３又は凹部３４の中に留められる。
【００２５】
図１３及び図１４を参照するに、楔形突起２４は、逆三角形であり、それに対応して、貫通孔３３又は凹部３４は四角形でありうる。可塑性支持ブロック２がＵ字型スロットに挿入されるとき、逆三角形の突起２４は、可塑性支持ブロックを係止するよう、貫通孔３３又は凹部３４の中に留められる。
【００２６】
上述の全ての技術的解決法において、可塑性支持ブロック２の凹面２１にセルフロック突起２３が設けられうる。セルフロック突起２３は、図１８に示すように、球状の頂部を有する形であってもよく、図１７に示すように突出した部材であってもよい。
【００２７】
上述の全ての技術的解決法において、Ｕ字型スロットの２つの端に夫々、可塑性支持ブロック２を保持する縁部１１が設けられる。縁部は、凹凸セルフロック装置が過荷重となること、それにより損傷を受けることを防止しうる。
【図１】
2010510442.tif 000003
【図２】
2010510442.tif 000004
【図３】
2010510442.tif 000005
【図４】
2010510442.tif 000006
【図５】
2010510442.tif 000007
【図６】
2010510442.tif 000008
【図７】
2010510442.tif 000009
【図８】
2010510442.tif 000010
【図９】
2010510442.tif 000011
【図１０】
2010510442.tif 000012
【図１１】
2010510442.tif 000013
【図１２】
2010510442.tif 000014
【図１３】
2010510442.tif 000015
【図１４】
2010510442.tif 000016
【図１５】
2010510442.tif 000017
【図１６】
2010510442.tif 000018
【図１７】
2010510442.tif 000019
【図１８】
2010510442.tif 000020
【図１９】
2010510442.tif 000021
【図２０】
2010510442.tif 000022
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
Ｕ字型スロットを形成する支持板と、
前記Ｕ字型スロットに挿入され、シェルフの柱の形状に合う凹面を有する可塑性支持ブロックと、
前記支持ブロックの脱落を防止するよう前記Ｕ字型スロットの２つの側面に設けられ、前記Ｕ字型スロットの底部から距離を置いた凹凸セルフロック装置とを含む、
拡張締着式シェルフ用のセルフロック式ジョイントであって、
前記凹凸セルフロック装置は、前記Ｕ字型スロットの２つの側面から夫々突出し、前記Ｕ字型スロットの底部に向かって傾斜する弾性ロック部材を含み、前記各弾性ロック部材は、前記Ｕ字型スロットの底部から距離を置いた自由端を有し、前記弾性ロック部材の位置に対応する凹部は前記可塑性支持ブロックの２つの側面に夫々設けられ、前記凹部は弾性ロック部材に完全に収容されるように適合された寸法を有し、前記弾性ロック部材の前記自由端は、前記可塑性支持ブロックが前記Ｕ字型スロットに挿入されたときに前記可塑性支持ブロックを係止するよう、前記凹部の底部にもたれかかる、セルフロック式ジョイント。
【請求項２】
前記可塑性支持ブロックの前記凹部は、底部が前記弾性ロック部材の前記自由端に対応する位置で終端するＬ字型の凹部である、請求項１記載のセルフロック式ジョイント。
【請求項３】
前記可塑性支持ブロックの前記凹部は、底部が前記弾性ロック部材の前記自由端に対応する位置で終端する鋭角型の凹部である、請求項１記載のセルフロック式ジョイント。
【請求項４】
セルフロック突起は、前記可塑性支持ブロックの前記凹面に設けられる、請求項１記載のセルフロック式ジョイント。
【請求項５】
前記可塑性支持ブロックを保持する縁部は、前記Ｕ字型スロットの２つの端に夫々設けられる、請求項１記載のセルフロック式ジョイント。
【請求項６】
Ｕ字型スロットを形成する支持板と、
前記Ｕ字型スロットに挿入され、シェルフの柱の形状に合う凹面を有する可塑性支持ブロックと、
前記支持ブロックの脱落を防止するよう前記Ｕ字型スロットの２つの側面に設けられ、前記Ｕ字型スロットの底部から距離を置いた凹凸セルフロック装置とを含む、
拡張締着式シェルフ用のセルフロック式ジョイントであって、
前記凹凸セルフロック装置は、前記Ｕ字型スロットの２つの側面に夫々設けられた貫通孔を有し、前記各貫通孔は、前記Ｕ字型スロットの底部から距離を置き、前記貫通孔の位置に対応する楔形突起は前記可塑性支持ブロックの２つの側面に夫々設けられ、前記楔形突起は前記Ｕ字型スロットの中へ前記突起を押す方向の延長面であり、前記貫通孔の中に完全に収容されるよう適合された寸法を有し、前記楔形突起は、前記可塑性支持ブロックが前記Ｕ字型スロットに挿入されたときに前記可塑性支持ブロックを係止するよう、前記貫通孔の中に留められる、セルフロック式ジョイント。
【請求項７】
前記楔形突起は、球状の頂部を有する形である、請求項６記載のセルフロック式ジョイント。
【請求項８】
前記楔形突起は、逆三角形である、請求項６記載のセルフロック式ジョイント。
【請求項９】
セルフロック突起は、前記可塑性支持ブロックの前記凹面に設けられる、請求項６記載のセルフロック式ジョイント。
【請求項１０】
前記可塑性支持ブロックを保持する縁部は、Ｕ字型スロットの２つの端に夫々設けられる、請求項６記載のセルフロック式ジョイント。
【請求項１１】
Ｕ字型スロットを形成する支持板と、
前記Ｕ字型スロットに挿入され、シェルフの柱の形状に合う凹面を有する可塑性支持ブロックと、
前記支持ブロックの脱落を防止するよう前記Ｕ字型スロットの２つの側面に設けられ、前記Ｕ字型スロットの底部から距離を置いた凹凸セルフロック装置とを含む、
拡張締着式シェルフ用のセルフロック式ジョイントであって、
前記凹凸セルフロック装置は、前記Ｕ字型スロットの２つの側面に夫々設けられた凹部を有し、前記各凹部は、前記Ｕ字型スロットの底部から距離を置き、前記凹部の位置に対応する楔形突起は前記可塑性支持ブロックの２つの側面に夫々設けられ、前記楔形突起は、前記Ｕ字型スロットの中へ前記突起を押す方向の延長面であり、前記凹部の中に完全に収容されるよう適合された寸法を有し、前記楔形突起は、前記可塑性支持ブロックが前記Ｕ字型スロットに挿入されたときに前記可塑性支持ブロックを係止するよう、前記凹部の中に留められる、セルフロック式ジョイント。
【請求項１２】
前記楔形突起は、球状の頂部を有する形である、請求項１１記載のセルフロック式ジョイント。
【請求項１３】
前記楔形突起は、逆三角形である、請求項１１記載のセルフロック式ジョイント。
【請求項１４】
セルフロック突起は、前記可塑性支持ブロックの前記凹面に設けられる、請求項１１記載のセルフロック式ジョイント。
【請求項１５】
前記可塑性支持ブロックを保持する縁部は、前記Ｕ字型スロットの２つの端に夫々設けられる、請求項１１記載のセルフロック式ジョイント。
【国際調査報告】
2010510442.tif 000023
2010510442.tif 000024
2010510442.tif 000025
2010510442.tif 000026
2010510442.tif 000027
2010510442.tif 000028
2010510442.tif 000029